(57)【要約】      （修正有）【課題】表示部材に不正な外力を作用させた時、外力を内筒に嵌装したカムに作用しないようにし、また表示部材を破壊されても、シリンダー錠の内部構成部が露出することはなく、不正解除を防止する。表示部材を大きくして表示部を見易くし、扉の切欠穴は、シリンダーの取付穴のみを加工するだけでよく、施工性に優れる等の施解錠表示機能付きシリンダー錠を提供する。【解決手段】施錠状態時において、表示部材１０の係合部１４はカム３０の係合受部３１ａに係合されており、室外側から表示部材１０を不正に操作して、カム３０を解錠方向に回動させる力が作用した時には、表示部材１０の係合部１４はカム３０の係合受部３１ａとの係合が解除され、カムは回動されず錠ケースのハブは作動されないので、施錠状態が保持される。【選択図】図７
2015132098.tif 000002
【特許請求の範囲】
【請求項１】
少なくとも室外側に開口した表示窓を通して施錠状態及び解錠状態が表示されるように表示部を有した表示部材と、この表示部材を不正に操作して解錠できないように室外側に設けたシリンダー錠とを備え、前記シリンダー錠の合鍵の操作により、錠ケース内のハブを作動し、施錠、解錠してなる施解錠表示機能付きシリンダー錠において、
前記シリンダー錠には、表示窓と、内筒の回動に連動する表示部材とカムとを可動自在に嵌装し、前記表示部材には係合部を形成すると共に、前記カムには前記表示部材の係合部を係脱自在に係合する係合受部を設け、
前記シリンダー錠の合鍵の操作により前記カムの回動に連動して表示部材を作動して、施錠時には施錠状態が、解錠時には解錠状態が表示されるとともに、
施錠状態時において、表示部材の係合部はカムの係合受部に係合されており、室外側から不正に表示部材を操作して、カムを解錠方向に回動させる力が作用した時には、前記表示部材の係合部はカムの係合受部との係合が解除され、カムは回動されず錠ケースのハブは作動されないので、施錠状態が保持されるように構成してあることを特徴とする施解錠表示機能付きシリンダー錠。
【請求項２】
前記シリンダー錠は、第１ケースの前面に設けたキャップの一部に開口した表示窓と、前記キャップと外筒の間に設けた表示部材と、外筒及び内筒の後端部に設けたカムと、前記第１ケースと外筒とカムの後部を被蓋すると共に、略中央部に貫通孔を形成した第２ケースとを有するとともに、
前記表示部材は、一部に後方に向け突設した弾性を有する突出体を有し、該突出体の後端部には前記係合部が形成され、前記表示部材の突出体は前記第１および第２ケースの貫通孔に嵌挿されており、
前記カムは、略レバーハンドル形状であって、その突出端部の一部には前記表示部材の突出体に形成した係合部が係合される係合受部が形成されるとともに、他端部は錠ケース内に設けたハブに係合し、合鍵の操作によりハブを作動して施錠、解錠させると共に、該カムは前記第２ケースの貫通孔に嵌装されていることを特徴とする請求項１に記載の施解錠表示機能付きシリンダー錠。
【請求項３】
前記表示部材は、該表示部材の係合部を前記カムの係合受部に係合し、シリンダー錠の合鍵またはサムターンの操作によりカムを介して回動自在に設けられ、カムの回動に連動して、施錠時には施錠状態が、解錠時には解錠状態が表示窓から表示されるように構成してあることを特徴とする請求項１または２に記載の施解錠表示機能付きシリンダー錠。
【請求項４】
少なくとも室外側に開口した表示窓を通して施錠状態及び解錠状態が表示されるように表示部を有した表示部材と、この表示部材を不正に操作して解錠できないように室外側に設けたシリンダー錠とを備え、前記シリンダー錠の合鍵の操作により錠ケース内のハブを作動し、施錠、解錠してなる施解錠表示機能付きシリンダー錠において、
前記シリンダー錠を嵌装する外装ケースには、表示窓と、シリンダー錠の合鍵の操作に連動する表示部材とカムとを可動自在に嵌装し、前記表示部材には係合部を形成すると共に、前記カムには該カムに連動される連動部材を設け、この連動部材には前記表示部材の係合部に係脱自在に係合する係合受部を設け、
前記シリンダー錠の合鍵の操作により回動する前記カムに連動する連動部材の作動を介して表示部材を作動して、施錠時には施錠状態が、解錠時には解錠状態が表示されるとともに、
施錠状態時においては、表示部材の係合部とカムに連動される連動部材の係合受部との係合は解除されており、室外側から表示部材を不正に操作した時には、前記表示部材の係合部と連動部材の係合受部との係合は解除されていることから、カムは回動されず錠ケースのハブは作動されないので、錠杆は後退せず施錠状態が保持されるように構成してあることを特徴とする施解錠表示機能付きシリンダー錠。
【請求項５】
前記表示部材は、該表示部材の係合部を前記カムの回動に連動する連動部材の係合受部に係脱自在に係合し、シリンダー錠の合鍵またはサムターンの操作によりカムおよび連動部材を介して上下動自在に設けられ、カムの回動に連動して、施錠時には施錠状態が、解錠時には解錠状態が表示窓から表示されるように構成してあることを特徴とする請求項４に記載の施解錠表示機能付きシリンダー錠。
【発明の詳細な説明】
【技術分野】
【０００１】
本発明は、室外側に開口した表示窓を通して施錠状態および解錠状態が表示されるようにした表示部材を備え、錠ケース内のハブを作動して施錠した施錠状態時において、室外側から前記表示部材を不正に操作して解錠できないように室外側に設けたシリンダー錠を備えた施解錠表示機能付きシリンダー錠に関する。
【背景技術】
【０００２】
従来、商業施設や公園などのトイレのドアには、室内側から施錠または解錠を行い、室外側に開口した表示窓を通して施錠状態または解錠状態を表示部で表示する表示錠が、例えば、特開平１０−８２２１９号公報（特許文献１）に示されているように知られている。
この特許文献１の表示錠には、表示部でもある回動部材の頭部に非常解錠操作用の割溝を形成しており（特許文献１の［００２６］、［図１］参照。）、非常時には、室外側から前記割溝にコインやドライバーなどを差し込んで解錠できるようにしてある。
【０００３】
しかしながら、前記特許文献１に示されたような表示錠によれば、室内側から施錠状態としているときに、例えば、前記表示部を不正に操作して該表示部を回動すると、錠杆（デッドボルト）が後退して解錠されてしまうという問題があった。
【０００４】
このような問題を解消するため、例えば、特開平２００６−１１２１７５号公報（特許文献２）に示されているように、室外側からは合鍵以外で不正に解錠できないように、表示錠にシリンダー錠を結合した表示機能付きシリンダー錠が提案されている。
【０００５】
この特許文献２の表示機能付きシリンダー錠は、室外側に開口した表示窓を通して施錠状態及び解錠状態が表示されるように表示器８と、この表示器８を不正に操作して解錠できないように室外側に設けたシリンダー１６を備え、前記シリンダーは、合鍵の操作により錠ケース内のダルマ（ハブ）を作動し、錠杆を錠ケースから出没して施解錠してなるものである。そして、前記表示器８は、錠杆１の側面に設けた表示器ベース４に組み付けて、該表示器８を錠杆１に連動させている。
【０００６】
従って、室外側からは合鍵なしでは解錠できないようにし、たとえ表示器８を室外側から不正に作動させようとしても、錠杆１は錠ケース内のダルマ（ハブ）１１によりロックされているので作動せず不正に解錠されない利点がある。
【先行技術文献】
【特許文献】
【０００７】
【特許文献１】特開平１０−８２２１９号公報
【特許文献２】特開２００６−１１２１７５号公報
【発明の概要】
【発明が解決しようとする課題】
【０００８】
しかしながら、前記特許文献２の表示機能付きシリンダー錠では、前記構成からなることから以下のような欠点がある。
【０００９】
（ａ）表示器は表示器ベースを介して錠杆に直結されているので、通常の力では表示器を解錠方向に作動させて錠杆を後退させて解錠できないが、表示器の解錠方向への力は、確実に錠杆に作用する。従って、扉への取付座を外し、表示器をハンマー等で叩く等すれば不正解錠される恐れがある。又は、表示器ベースの部分をドリルで穴をあけ、鋼製の棒を差し込んで叩けば錠杆が後退して不正解錠される恐れもある。
【００１０】
（ｂ）  表示器を破壊すれば、錠ケースの内部構造である、ハブや錠杆及び錠杆に設けた表示器ベースが露出し、上記の方法以外の方法でも不正解錠される危険性が大きい。
【００１１】
（ｃ）  表示部を見易くするため、表示器を大きくすると、上記（ａ）、（ｂ）の危険度が更に大きくなる。
【００１２】
（ｄ）  表示器を錠杆に直結しているので、扉の切欠穴は、シリンダーの取付穴のほかに、表示器取付け用の開口も必要であるため、その分の施工が面倒である。
【００１３】
本発明は、上記特許文献２の有する前記（ａ）〜（ｄ）記載の欠点を解消するために案出したものである。すなわち、施錠状態においては、表示部材に不正な外力を作用させても、表示部材とシリンダー錠のカムとの係合部が外れるか、又は表示部材とシリンダー錠のカムとは係合が解除されるようにしてあるので、不正な外力はカムに作用しない。そのため、カムにより作動される錠ケース内のハブに外力が作用せず、不正解錠を防止できる。また、表示部材を破壊されても、シリンダー錠の内部構成部が露出することはなく、不正解錠される恐れがない。しかも、表示部材を大きくして表示部を見易くすることができる。さらに、扉の切欠穴は、従来と同様に、シリンダーの取付穴のみを加工するだけでよいため、施工性に優れる等の施解錠表示機能付きシリンダー錠を提供することを目的とする。
【課題を解決するための手段】
【００１４】
上記目的を達成するため、本発明の請求項１の発明は、少なくとも室外側に開口した表示窓を通して施錠状態及び解錠状態が表示されるように表示部を有した表示部材と、この表示部材を不正に操作して解錠できないように室外側に設けたシリンダー錠とを備え、前記シリンダー錠の合鍵の操作により、錠ケース内のハブを作動し、施錠、解錠してなる施解錠表示機能付きシリンダー錠において、
前記シリンダー錠には、表示窓と、内筒の回動に連動する表示部材とカムとを可動自在に嵌装し、前記表示部材には係合部を形成すると共に、前記カムには前記表示部材の係合部を係脱自在に係合する係合受部を設け、
前記シリンダー錠の合鍵の操作により前記カムの回動に連動して表示部材を作動して、施錠時には施錠状態が、解錠時には解錠状態が表示されるとともに、
施錠状態時において、表示部材の係合部はカムの係合受部に係合されており、室外側から不正に表示部材を操作して、カムを解錠方向に回動させる力が作用した時には、前記表示部材の係合部はカムの係合受部との係合が解除され、カムは回動されず錠ケースのハブは作動されないので、施錠状態が保持されるように構成してあることを特徴とする。
【００１５】
請求項２の発明は、請求項１において、前記シリンダー錠は、第１ケースの前面に設けたキャップの一部に開口した表示窓と、前記キャップと外筒の間に設けた表示部材と、外筒及び内筒の後端部に設けたカムと、前記第１ケースと外筒とカムの後部を被蓋すると共に、略中央部に貫通孔を形成した第２ケースとを有するとともに、
前記表示部材は、一部に後方に向け突設した弾性を有する突出体を有し、該突出体の後端部には前記係合部が形成され、前記表示部材の突出体は前記第１および第２ケースの貫通孔に嵌挿されており、
前記カムは、略レバーハンドル形状であって、その突出端部の一部には前記表示部材の突出体に形成した係合部が係合される係合受部が形成されるとともに、他端部は錠ケース内に設けたハブに係合し、合鍵の操作によりハブを作動して、施錠、解錠させると共に、該カムは前記第２ケースの貫通孔に嵌装されていることを特徴とする。
【００１６】
請求項３の発明は、請求項１または２において、前記表示部材は、該表示部材の係合部を前記カムの係合受部に係合し、シリンダー錠の合鍵またはサムターンの操作によりカムを介して回動自在に設けられ、カムの回動に連動して、施錠時には施錠状態が、解錠時には解錠状態が表示窓から表示されるように構成してあることを特徴とする。
【００１７】
請求項４の発明は、少なくとも室外側に開口した表示窓を通して施錠状態及び解錠状態が表示されるように表示部を有した表示部材と、この表示部材を不正に操作して解錠できないように室外側に設けたシリンダー錠とを備え、前記シリンダー錠の合鍵の操作により錠ケース内のハブを作動し、施錠、解錠してなる施解錠表示機能付きシリンダー錠において、
前記シリンダー錠を嵌装する外装ケースには、表示窓と、シリンダー錠の合鍵の操作に連動する表示部材とカムとを可動自在に嵌装し、前記表示部材には係合部を形成すると共に、前記カムには該カムに連動される連動部材を設け、この連動部材には前記表示部材の係合部に係脱自在に係合する係合受部を設け、
前記シリンダー錠の合鍵の操作により回動する前記カムに連動する連動部材の作動を介して表示部材を作動して、施錠時には施錠状態が、解錠時には解錠状態が表示されるとともに、
施錠状態時においては、表示部材の係合部とカムに連動される連動部材の係合受部との係合は解除されており、室外側から表示部材を不正に操作した時には、前記表示部材の係合部と連動部材の係合受部との係合は解除されていることから、カムは回動されず錠ケースのハブは作動されないので、錠杆は後退せず施錠状態が保持されるように構成してあることを特徴とする。
【００１８】
請求項５の発明は、請求項４において、前記表示部材は、該表示部材の係合部を前記カムの回動に連動する連動部材の係合受部に係脱自在に係合し、シリンダー錠の合鍵またはサムターンの操作によりカムおよび連動部材を介して上下動自在に設けられ、カムの回動に連動して、施錠時には施錠状態が、解錠時には解錠状態が表示窓から表示されるように構成してあることを特徴とする。
【発明の効果】
【００１９】
本発明の請求項１の発明は、前記シリンダー錠には、表示窓と、内筒の回動に連動する表示部材とカムとを可動自在に嵌装し、前記表示部材には係合部を形成すると共に、前記カムには前記表示部材の係合部を係脱自在に係合する係合受部を設け、
前記シリンダー錠の合鍵の操作により前記カムの回動に連動して表示部材を作動して、施錠時には施錠状態が、解錠時には解錠状態が表示されるとともに、
施錠状態時において、表示部材の係合部はカムの係合受部に係合されており、室外側から不正に表示部材を操作して、カムを解錠方向に回動させる力が作用した時には、前記表示部材の係合部はカムの係合受部との係合が解除され、カムは回動されず錠ケースのハブは作動されないので、施錠状態が保持されるように構成してあることを特徴とする。
【００２０】
これにより、請求項１の発明は、表示部材に不正な外力を作用させても、表示部材とシリンダー錠のカムとの係合部が外れるので、不正な外力はカムに作用しないため、カムにより作動される錠ケース内のハブに外力が作用せず、不正解錠を防止できる。また、表示窓から表示部材が破壊されても、シリンダー錠の内部構成部材であるカムが露出することはなく、不正解錠される恐れがない。しかも、表示部材を大きくして表示部を見易くすることができる。さらに、扉の切欠穴は、従来と同様に、シリンダー錠の取付穴のみを加工するだけでよいため、施工性に優れる等の効果を有する。
【００２１】
請求項２の発明は、請求項１の構成をより具体化したものであり、簡単な構造により、上記請求項１に記載した諸効果を有する。
【００２２】
請求項３の発明は、請求項１または２において、前記表示部材は、シリンダー錠の合鍵だけでなく、室内側に設けたサムターンの操作によってカムを介して回動自在に設けたものであり、この場合も請求項１と同じ効果を有する。
【００２３】
請求項４の発明は、前記シリンダー錠を嵌装する外装ケースには、表示窓と、シリンダー錠の合鍵の操作に連動する表示部材とカムとを可動自在に嵌装し、前記表示部材には係合部を形成すると共に、前記カムには該カムに連動される連動部材を設け、この連動部材には前記表示部材の係合部に係脱自在に係合する係合受部を設け、
前記シリンダー錠の合鍵の操作により回動する前記カムに連動する連動部材の作動を介して錠ケースのハブを作動して、施錠、解錠させると共に、表示部材を作動して、施錠時には施錠状態が、解錠時には解錠状態が表示されるとともに、
施錠状態時においては、表示部材の係合部とカムに連動される連動部材の係合受部との係合は解除されており、室外側から表示部材を不正に操作した時には、前記表示部材の係合部と連動部材の係合受部との係合は解除されていることから、カムは回動されず錠ケースのハブは作動されないので、錠杆は後退せず施錠状態が保持されるように構成してあることを特徴とする。
【００２４】
この場合は、表示窓と、表示部材とカムとを可動自在に嵌装するのは外装ケースとその内ケースであるとともに、表示部材の係合部に係合する係合受部は、前記カムに連動される連動部材に設けたものであり、この構成のものも請求項１と同様の効果を有する。
【００２５】
請求項５の発明は、請求項４において、表示部材は、該表示部材の係合部を前記カムの回動に連動する連動部材の係合受部に係脱自在に係合し、シリンダー錠の合鍵またはサムターンの操作によりカムおよび連動部材を介して上下動自在に設けられ、カムの回動に連動して、施錠時には施錠状態が、解錠時には解錠状態が表示窓から表示されるように構成してあるもので、この場合も上記請求項４と同様の効果を有する。
【図面の簡単な説明】
【００２６】
【図１】本発明の施解錠表示機能付き扉錠の実施形態１の室外側から見た正面図である。
【図２】図１の左側面図である。
【図３】図１の平面図である。
【図４】シリンダー錠の正面図である。
【図５】図４のＡ−Ａ線縦断面図である。
【図６】シリンダー錠の水平断面図である。
【図７】シリンダー錠の分解斜視図である。
【図８】図７の反対側から見たシリンダー錠の分解斜視図である。
【図９】図５のＢ−Ｂ線断面図である。
【図１０】図９の施錠状態から表示部材を解錠方向へ回動した状態の縦断面図である。
【図１１】図１０のＣ−Ｃ線断面図である。
【図１２】本発明の施解錠表示機能付き扉錠の実施形態２の室外側から見た正面図である。
【図１３】図１２の左側面図である。
【図１４】図１２の平面図である。
【図１５】図１２の要部縦断面図である。
【図１６】実施形態２のシリンダー錠の水平断面図である。
【図１７】実施形態２のシリンダー錠の分解斜視図である。
【図１８】図１２のシリンダー錠の内ケースと表示部材の分解斜視図である。
【図１９】図１２のシリンダー錠の内筒を嵌装した第１ケースとカムを嵌装した第２ケースとの間に連動部材とガイド部材とを連結したものと、外装ケースと、内ケースとを分解した斜視図である。
【図２０】実施形態２のシリンダー錠の施錠状態の図１５のＡ−Ａ線縦断面図である。
【図２１】図２０の施錠状態からカムを解錠方向へ回動した解錠状態の同上断面図である。
【発明を実施するための形態】
【００２７】
（実施の形態１）
本発明の実施形態１を図１〜図１１に基づいて以下に説明する。
【００２８】
図１は、本発明に係る施解錠表示機能付きシリンダー錠の使用状態を示すもので、室外側から見た正面図である。図２は図１の左側面図、図３は図１の平面図である。
【００２９】
この施解錠表示機能付きシリンダー錠１は、吊元側を回動自在に枢支された扉（ドア）Ｄの自由端部側に埋設された錠ケース２に取り付け固定されている。一方、室内側には図２及び図３に示されているようにサムターン３が取り付け固定されている。
【００３０】
前記施解錠表示機能付きシリンダー錠１には、図７に示すように室外側に開口した表示窓２３ａを通して施錠状態及び解錠状態が表示されるように表示部１１を有した表示部材１０と、表示部材１０が嵌装される第１ケース２１Ａとカム３０が嵌装される第２ケース２１Ｂなどが設けてある。そして、合鍵（図示せず）の操作により外筒２１に嵌装された内筒２２を回動してカム３０を回動し、錠ケース２に内装されたハブ２５を作動して、錠杆４を錠ケース２から出没して施錠又は解錠する。上記表示部材１０とカム３０については、詳しくは後述する。
【００３１】
前記シリンダー錠１には、室外側に開口する表示窓２３ａを設けると共に、内筒２２の回動に連動する表示部材１０とカム３０とを可動自在に嵌装し、前記表示部材１０には係合部１４を形成すると共に、前記カム３０には前記表示部材１０の係合部１４が係脱自在に係合する係合受部３１ａを設け、前記シリンダー錠１の合鍵の操作により前記カム３０の回動に連動して表示部材１０を作動して、施錠時には施錠状態が、解錠時には解錠状態が表示されるようにしてある。
【００３２】
この実施形態１では、前記シリンダー錠１は、図４、図６〜図８に示すように、前記外筒２１を被覆する第１ケース２１Ａと第２ケース２１Ｂと、第１ケース２１Ａの前面の一部に開口した表示窓２３ａを有するキャップと、前記外筒２１に嵌装され鍵穴２２ａを有する内筒２２と、キャップ２３と外筒２１の間に設けた表示部材１０と、外筒２１及び内筒２２の後端部に設けたカム３０とからなっている。そして、前記第２ケース２１Ｂは、前記第１ケース２１Ａと外筒２１及び内筒２２とカム３０の後部を被蓋すると共に、略中央部に貫通孔２１ｂを形成してある。
【００３３】
図４、図６〜８で示された２４はカラー、１２は表示部材１０に、２１ａは第１ケース２１Ａに、２３ｂはキャップ２３に、それぞれ形成された外筒２１（この外筒２１内に内筒２２とピン、バネが嵌装され合鍵により内筒２２が回動される）を嵌挿する貫通孔である。図５で示された２５は錠ケース２内に設けたハブである。図５、図７、図９、図１０で２９はコイルバネである。
【００３４】
前記表示部材１０は、ステンレススチール等の金属製の薄板で作成し、その一部には後方に向け突設した薄板状の弾性を有する突出体１３を有している。そして、この突出体１３の後端部の下面側には係合部１４が形成され、該表示部材１０の突出体１３は、前記第１ケース２１Ａの外筒用貫通孔２１ａの下方に形成した第２の貫通孔２１ｃと、第２ケース２１Ｂの貫通孔２１ｂに挿通されている。
【００３５】
前記カム３０は、略レバーハンドル形状であって、その突出端部３１の一部には前記表示部材１０の突出体１３に形成した係合部１４が係合される係合受部３１ａが形成されている。また、カム３０の他端部３２は錠ケース２内に設けたハブ２５に係合し、合鍵の操作により回動されるシリンダー錠１の内筒２２を介してカム３０は回動されてハブ２５を作動して錠杆４を出没させる。このカム３０は前記第２ケース２１Ｂの貫通孔２１ｂに回動自在に嵌装されている。なお、カム３０はその中央部に設けた係合穴３３に、シリンダー錠１の内筒２２の後端部に設けた操作片２２ｂが係合され、内筒２２の回動によりカム３０が回動される。
【００３６】
そして、前記表示部材１０は、該表示部材１０の係合部１４を前記カム３０の係合受部３１ａに係合し、シリンダー錠１の合鍵の操作によりカム３０を介して連動して回動される。また、カム３０の他端側３２は錠ケース２内のハブ２５に係合され、カム３０の回動によりハブ２５が作動される。また、該ハブ２５には室内側からサムターン３の端部が係合され、サムターン３の操作によるハブ２５作動に連動して前記カム３０は回動される。そして、シリンダー錠１またはサムターン３の操作によるカム３０の回動に連動して、施錠時には、表示部材１０の「赤」色又は「閉」の文字の表示部１１ａによる施錠状態が、解錠時には、表示部材１０の「青」色又は「開」の文字の表示部１１ｂが表示窓２３ａから目視できるように表示される。
【００３７】
すなわち、上記の通り表示部材１０の係合部１４はカム３０の係合受部３１ａに係合されており、表示部材１０はシリンダー錠１またはサムターン３の施錠、解錠操作により連動して回動するカム３０と一体的に連動して回動する。
【００３８】
なお、シリンダー錠１とサムターン３の固定方法は従来公知のもので、図３で５はシリンダー固定ネジ、図５で６はシリンダー止めピンである。また、図６、図７及び図８で、２６はキャップ２３を第１ケース２１Ａに固定するネジ、２７は第２ケース２１Ｂを第１ケース２１Ａに固定するネジ、２８は第２ケース２１Ｂに回動自在に嵌装したカム３０が離脱しないように保持させるリテーナーである。
【００３９】
ところで、図５と図９に示される施錠状態において、室外側のシリンダー錠２０の表示窓２３ａから表示部材１０を解錠方向に回動させる力が作用した時、前記係合部１４と係合受部３１ａの斜面部の作用により、係合部１４には係合受部３１ａの係合が解除される方向の力が作用する。この時、表示部材１０は金属製の薄板で形成してあるので、その突出体１３の弾力は小さいため、係合部１４と係合受部３１ａとの係合は容易に解除されるので、カム３０は回動されない。
従って、施錠状態において、室外側から表示部材１０を解錠方向に回動して不正に解錠しようとしても、解錠されることのない表示機能付のシリンダー錠を提供できる。
【００４０】
なお、錠ケース２内の錠杆４やハブ２５およびサムターン３などの構成は、従来公知のもので、ハブ２５には強い付勢力を有するクリックバネ（図示せず）により、施錠状態および解錠状態に安定保持されているので、表示部材１０を回動させても、このカム３０の保持力に打ち勝つ力が伝わらずカム３０は回動することなく、係合部１４と係合受部３１ａとの係合が解除されるのである。
【００４１】
（実施の形態２）
本発明の実施の形態２を図１２〜図２１に基づいて以下に説明する。
この実施形態２は、前述した実施形態１に比べて、概略的に言えば、表示部材が上下動方式を採用し、カムの回動に連動して作動する表示部材の構成と、表示部材の係合部とカムの係合受部との係合部の構成が異なるものでであり、その他の構成は同様である。それゆえ、実施の形態１と同様のものは、それと同一符合を用い、その詳細な説明を省略する。
【００４２】
この実施形態２では、前記施解錠表示機能付きシリンダー錠１は、表示窓を有した外装ケースと表示部材を嵌装した内ケースおよびシリンダー部２０とから成り、図１５〜図２１に示すように、該シリンダー部２０の外筒２１を嵌装する第１ケース２１Ａと第２ケース２１Ｂと、表示窓５１を有する外装ケース５０と、前記第１、第２のケース２１Ａ、２１Ｂ間に嵌装され鍵穴２２ａを有する内筒２２と、内筒２２の回動に連動されるカム３０と、該カム３０に連動される連動部材６１と、外装ケース５０と内ケース５５との間に設けた表示部材１０とからなっている。
【００４３】
表示部材１０を有する内ケース５５は、図１８および図１９に示すように、内ケース５５に表示部材１０を嵌装して、蓋５６に形成した穴５６ａ、５６ａから該蓋５６をネジ５６ｂ、５６ｂ止めすることによって、表示部材１０は内ケース５５内に、上下方向に摺動自在に保持されている。
【００４４】
その内ケース５５を、図１９および図１５に示すように、内ケース５５に設けた取付穴５５ｂ、５５ｂからネジ５７，５７を挿通して扉Ｄにネジ止めして取り付け固定する。
次に、図１６、図１７、図１９および図１５に示すように、第１ケース２１Ａと第２ケース２１Ｂとをネジ７０，７０で一体的に連結して構成して構成したシリンダー部２０を、前記内ケース５５に設けたガイド穴５５ｃから、錠ケース２内に挿入し、前記実施形態１の場合と同様に、シリンダー部２０の後端部に設けたピン挿通穴にシリンダー止めピン６を挿通してシリンダー部２０を錠ケース２に取り付け固定する。
【００４５】
最後に、外装ケース５０を  シリンダー部２０の前面部から、内ケース５５を被覆するように嵌め込み両側からネジ５３，５３で内ケース５５にネジ止め固定することにより施解錠表示機能付きシリンダー錠１が組み立てられる。
その時、外装ケース５０に形成された突出部５２にシリンダー部２０の前面部が嵌装され、内筒２２は外部に露出し、その鍵穴２２ａから合鍵で操作可能となる。
【００４６】
この実施形態２の表示部材１０は、図１５、図１８〜図２１に示されているように、略横長の柱状の本体１６と、この本体１６の一部に垂設した垂下部１７とを有し、この垂下部１７の下端を係合部１４としている。そして、本体１６の前面には、上部に赤色又は閉の文字の表示部１１ａが、その下部に青色又は開の文字の表示部１１ｂが、塗装などで表示されている。
【００４７】
また、この実施形態２のシリンダー錠１のシリンダー部２０は、図１７に示すようにピンやバネ（図示せず）と共に合鍵の操作により回動される内筒２２を嵌装した第１ケース２１Ａと、ガイド部材６５と、連動部材６１と、カム３０および第２ケース２１Ｂとにより構成され、第２ケース２１Ｂをネジ７０により第１ケース２１Ａにネジ止めして一体的に設けられる。
【００４８】
ガイド部材６５と連動部材６１およびカム３０は、第１ケース２１Ａと第２ケース２１Ｂとの間に嵌装され、回動自在に保持される。詳しくは、図１５、図１６および図２０，図２１に示すように、カム３０は第２ケース２１Ｂに回動自在に嵌装されてリテーナー２８により保持される。
カム３０の他端部３２は、錠ケース２内のハブ２５に係合され、カム３０の回動により錠杆４を出没させて施錠、解錠する。
また、カム３０の一端部の係合穴３３には、前記シリンダー錠の内筒２２の操作片２２ｂが係合され、内筒２２の回動によりカム３０が回動する。
【００４９】
図１９に示すように、シリンダー部２０に回動自在に保持された連動部材６１とガイド部材６５は、図１５に示すように内ケース５５に設けられたガイド穴５５ｃ内に嵌装され、カム３０を回動自在に保持する第２ケース２１Ｂは、内ケース５５に取り付けた蓋５６の穴５６ａから錠ケース２内に挿入される。
【００５０】
次に、カム３０の回動に連動部材６１を介して連動する表示部材１０の動作を、図１５、図２０及び図２１に基づいて説明する。カム３０の係止部３５は連動部材６１の内周壁の一部に形成した係合凹部６２に常時係合しており、カム３０の回動に連動して連動部材６１を一体的に回動する。
図２０は施錠状態を示すもので、表示部材１０はその自重で下降しており、その本体１６の下端部１６ａが内ケース５５の段部５５ａに当接して保持され、表示部材１の赤１１ａ（または閉の文字）が表示窓から表示される。
【００５１】
この時、表示部材１０の係合部１４はカム３０と一体的に回動する連動部材６１に設けた係合受部６４に係合しておらず、それぞれ離れた状態で保持されている。また、図２１は解錠状態を示すもので、カム３０の反時計方向の回動により連動部材６１も一体的に回動し、連動部材６１の係合受部６４が表示部材１０の垂下部１７の係合部１４に係合した時、表示部材１０は係合受部６４により押し上げられて図２１の状態に達する。
そして、表示部材１の青１１ｂ（又は開の文字）が表示窓５１から表示される。
【００５２】
なお、図２０、図２１に示すように、カム３０は施錠状態および解錠状態において、その係止部３５がガイド部材６５に形成した開口端部６６，６６に当接し、カム３０のそれ以上の回動が阻止される。なお、図１７で６７はガイド部材６５の小径突部である。
【００５３】
以上のような構成であるので、前記シリンダー錠１の合鍵の操作により、前記カム３０の回動に連動する連動部材６１の作動を介して表示部材１０を作動して、施錠時には施錠状態（図２０参照）が、解錠時には解錠状態（図２１参照）が表示される。
すなわち、前記表示部材１０は、該表示部材１０の係合部１４を前記カム３０の回動に連動する連動部材６１の係合受部６４に係脱自在に係合し、シリンダー錠２０の合鍵またはサムターン３の操作によりカム３０および連動部材６１を介して上下動自在に設けられている。つまり、カム３０の回動に連動して、施錠時には，図１５及び図２０に示すように、表示部材１０の「赤」色又は「閉」の文字の表示部１１ａによる施錠状態が表示窓５１から目視できるように表示される。このとき、内ケース５５の中程に形成した段部５５ａに、表示部材１０が自重により下降し、本体１６の下端部１６ａが内ケース５５の段部５５ａに当接して保持される（図１５、図１８、図２０参照）。解錠時には、図２１に示すように、表示部材１０の「青」色又は「開」の文字の表示部１１ｂが表示窓５１から目視できるように表示される。
【００５４】
図２１の解錠状態において、合鍵又はサムターンの回動操作により、前記と逆の反時計方向に回動すると、連動部材６１の係合受部６４が反時計方向に回動され、表示部材１０の係合部１４との係合が解除される。その結果、表示部材１０は自重により図２０に示すように下動して、前述したように施錠状態を表示する状態となる。
【００５５】
図２０に示すように、施錠状態時においては、表示部材１０は内ケース５５に当接して保持されているので、それ以上下動しないので、表示部材１０を作動して不正に解錠することはできない。例え、表示部材１０の係合部１４が破断されて、係合部１４を下動させても、カム３０に連動する連動部材６１の係合受部６４は離れた状態にあるので、不正な力はカム３０に伝わらず不正解錠されない。従って、安全な表示機能付きシリンダー錠が提供できる。
【００５６】
（その他の実施の形態）
前記の実施形態１、２では、本発明の施解錠表示機能付きシリンダー錠１を使用した扉錠は、従来公知の錠杆を出没させて施錠、解錠する所謂本締錠型のものであるが、扉錠はそれに限定するものではなく、例えば施錠時にはハンドルの回動が阻止されて施錠されるタイプの扉錠にも使用できる。その場合にも前記の実施形態１、２と同様に、シリンダー錠１のカム３０を扉錠内のハンドルの回動を制御する施錠部材を作動させるハブに係合すればよい。
その他、本発明の施解錠表示機能付きシリンダー錠の用途は、トイレなどに限られる事なく、例えば住宅の扉錠や倉庫などあらゆる場所の扉錠に使用すれば、施錠、解錠状態が外部から一目で判別できるので極めて便利である。
【符号の説明】
【００５７】
１          施解錠表示機能付きシリンダー錠
２          錠ケース
３          サムターン
４          錠杆
１０        表示部材
１１        表示部
１１ａ      表示部
１１ｂ      表示部
１３        突出体
１４        係合部
２０        シリンダー部
２１        外筒
２１Ａ      第１ケース
２１Ｂ      第２ケース
２２        内筒
２２ａ      鍵穴
２２ｂ      操作片
２３        キャップ
２３ａ      表示窓
２５        ハブ
３０        カム
３１        突出端部
３１ａ      係合受部
３３        係合穴
３５        係止部
５０        外装ケース
５１        表示窓
５５        内ケース
５５ａ      段部
５５ｂ      取付穴
５５ｃ      ガイド穴
５６        蓋
５８        空室
５９        空室
６１        連動部材
６２        係合凹部
６４        係合受部
６５        ガイド部材
６６        開口端部
Ｄ        扉
【図１】
2015132098.tif 000003
【図２】
2015132098.tif 000004
【図３】
2015132098.tif 000005
【図４】
2015132098.tif 000006
【図５】
2015132098.tif 000007
【図６】
2015132098.tif 000008
【図７】
2015132098.tif 000009
【図８】
2015132098.tif 000010
【図９】
2015132098.tif 000011
【図１０】
2015132098.tif 000012
【図１１】
2015132098.tif 000013
【図１２】
2015132098.tif 000014
【図１３】
2015132098.tif 000015
【図１４】
2015132098.tif 000016
【図１５】
2015132098.tif 000017
【図１６】
2015132098.tif 000018
【図１７】
2015132098.tif 000019
【図１８】
2015132098.tif 000020
【図１９】
2015132098.tif 000021
【図２０】
2015132098.tif 000022
【図２１】
2015132098.tif 000023